(57)【要約】【課題】作業機のマグネット装置の発電装置および制御盤をコンパクトにまとめ、作業機への搭載を容易にする。【解決手段】マグネット装置（２５）が、発電機（２６）と、発電機（２６）を駆動する油圧モータ（６）と、油圧モータ（６）を制御するバルブブロック（７）を一体化した発電装置（２４）と、この発電装置（２４）をトンネル状に囲う制御盤（２７）を備えている。【選択図】図１
2014031224.tif 000002
【特許請求の範囲】
【請求項１】
発電機の出力によりマグネットを励磁して荷の吸引・釈放作業を行う作業機のマグネット装置であって、
マグネット装置が、
発電機と、発電機を駆動する油圧モータと、油圧モータを制御するバルブブロックを一体化した発電装置と、
この発電装置をトンネル状に囲う制御盤と、を備えている、
ことを特徴とする作業機のマグネット装置。
【請求項２】
制御盤の発電装置を囲う部分に冷却フィンを備え、
発電機に備えた冷却ファンの送風が発電装置と制御盤の隙間を通される、
ことを特徴とする請求項１記載の作業機のマグネット装置。
【請求項３】
制御盤が、発電装置を設置する基台の上に門型に形成されている、
ことを特徴とする請求項１または２記載の作業機のマグネット装置。
【発明の詳細な説明】
【技術分野】
【０００１】
本発明は、油圧ショベル等の作業機に装着され、スクラップなどを吸着、釈放するマグネットを有したマグネット装置に関する。
【背景技術】
【０００２】
図５を参照してマグネット装置を装着した作業機について説明する。この作業機は周知の油圧ショベルをベースにしたもので、油圧ショベル本体１に、作業腕であるフロントアタッチメント２を備え、フロントアタッチメント２の先端にスクラップなどを吸着、釈放するマグネット３を備えている。
【０００３】
図４を参照してマグネット装置のシステム構成について説明する。マグネット装置は、マグネット３、作業機のエンジン４、エンジン４によって駆動されるマグネット用の油圧ポンプ５、油圧モータ６、油圧モータ６に供給する油圧を制御するためのバルブブロック７、および油圧モータ６によって駆動される発電機８を備えている。バルブブロック７は、電磁切換弁１１、リリーフ弁１２、チェック弁１３、チェック弁１４を備えている。
【０００４】
マグネット装置はまた、発電機８から供給される電気を制御してマグネット３を励磁するための制御盤９、制御盤９の制御状態を監視するためのモニタ１０、およびマグネット３を操作するマグネット操作スイッチ１５を備えている。作業機は、機体コントローラ１６およびアクセルダイヤル１７を備えている。
【０００５】
油圧ポンプ５から吐出される圧油は、バルブブロック７を介して油圧モータ６に供給され、発電機８が駆動される。発電機８によって交流電気が発電され、制御盤９に供給される。制御盤９は、交流電気を直流電気に変換して、マグネット操作スイッチ１５の操作によってマグネット３を励磁、逆励磁、非励磁に切換え、スクラップを吸着、釈放する。
【０００６】
このマグネット装置の、発電機を駆動するユニットである発電装置と制御盤は、分かれて作業機に搭載されている（例えば、特許文献１参照）。
【先行技術文献】
【特許文献】
【０００７】
【特許文献１】特開２０１２−６２１７８号公報（図２）
【発明の概要】
【発明が解決しようとする課題】
【０００８】
従来の作業機のマグネット装置には、次のとおりの解決すべき課題がある。
【０００９】
すなわち、マグネット装置が発電装置と制御盤に分かれて機体に搭載されているとともに、制御盤には電気機器を冷却するための冷却ファンを有した冷却室がありこの部分の容積が大きいために制御盤の形状が大きくなっている。したがって、特に油圧ショベルのような作業機に発電装置および制御盤を搭載するには、機体の改造が大掛かりなものになっている。
【００１０】
本発明は上記事実に鑑みてなされたもので、その技術的課題は、マグネット装置の発電装置および制御盤をコンパクトにまとめ、作業機への搭載が容易な、作業機のマグネット装置を提供することである。
【課題を解決するための手段】
【００１１】
本発明によれば上記技術的課題を解決する作業機のマグネット装置として、マグネット装置が、発電機と、発電機を駆動する油圧モータと、油圧モータを制御するバルブブロックを一体化した発電装置と、この発電装置をトンネル状に囲う制御盤と、を備えている、ことを特徴とする作業機のマグネット装置が提供される。
【００１２】
好適には、制御盤の発電装置を囲う部分に冷却フィンを備え、発電機に備えた冷却ファンの送風が発電装置と制御盤の隙間を通される。
【００１３】
また、制御盤が、発電装置を設置する基台の上に門型に形成されている。
【発明の効果】
【００１４】
本発明に従って構成された作業機のマグネット装置は、発電機と、発電機を駆動する油圧モータと、油圧モータを制御するバルブブロックを一体化した発電装置と、この発電装置をトンネル状に囲う制御盤を備えている。したがって、マグネット装置の発電装置および制御盤をコンパクトにすることができ、また作業機への搭載が容易である。
【図面の簡単な説明】
【００１５】
【図１】本発明に従って構成された作業機のマグネット装置の（ａ）は側面図、（ｂ）は（ａ）の矢印Ａ方向に見た正面図。
【図２】図１のＣ−Ｃ矢印方向に見た断面図。
【図３】図１のＢ−Ｂ矢印方向に見た断面図。
【図４】マグネット装置のシステム構成図。
【図５】マグネット装置を備えた作業機の側面図。
【発明を実施するための形態】
【００１６】
以下、本発明に従って構成された作業機のマグネット装置について、好適実施形態を図示している添付図面、図１〜図３を参照して、さらに詳細に説明する。なお、図４、図５と実質上同一の部分は同一符号で示されている。
【００１７】
全体を番号２５で示すマグネット装置は、発電機２６と、発電機２６を駆動する油圧モータ６と、油圧モータ６を制御するバルブブロック７を一体化した発電装置２４と、この発電装置２４をトンネル状に囲う制御盤２７を備えている。
【００１８】
発電機２６には、一端に冷却ファン２６ａが備えられ、他端にカップリング２１によって油圧モータ６が取付けられている。バルブブロック７は油圧モータ６に取付けられている。一体になった発電装置２４は、基台２３の上に発電機２６が設置され取付けられている。
【００１９】
制御盤２７は、基台２３の上に、一対の縦部およびそれぞれの上部を結ぶ天井部を有した門型に形成されている。門型の一方の開口部にはルーバーを備えた吸気孔２８（図２）が形成されている。発電機２６の冷却ファン２６ａは、この吸気口２８に面して位置付けられている。制御盤２７の門型は、ほぼ発電機２６を囲う長さに形成されている。油圧モータ６およびバルブブロック７は門型の他方の開口部の外に配置されている。
【００２０】
主として図３を参照して説明すると、制御盤２７の発電装置２６を囲う一対の縦部および天井部にはそれぞれ冷却フィンを２７ａ、２７ｂ、２７ｃが備えられている。発電機２６は制御盤２７に対向する部分に冷却フィン２６ｂを備えている。冷却ファン２６ａによる送風は、発電装置２４と制御盤２７の隙間であるこの冷却フィン２７ａ、２７ｂ、２７ｃおよび２６ｂの部分を通される。
【００２１】
上述したとおりの作業機のマグネット装置の作用効果について説明する。
【００２２】
マグネット装置２５は、発電機２６と、発電機２６を駆動する油圧モータ６と、油圧モータ６を制御するバルブブロック７を一体化した発電装置２４と、この発電装置２４をトンネル状に囲う制御盤２７を備えている。したがって、一体化した発電装置２４およびそれを囲う形態の制御盤２７はマグネット装置２５をコンパクトにすることができ、作業機への搭載も容易である。さらに発電装置２４を囲う形態の制御盤２７は放熱面積を大きくでき効果的に放熱することができる。
【００２３】
そして、制御盤２７の発電装置２４を囲う部分に冷却フィン２７ａ、２７ｂ、２７ｃを備え、発電機２６に備えた冷却ファン２６ａの送風が発電装置２４と制御盤２７の隙間を通される。したがって、発電機２６の冷却ファン２６ａで発電機２６と制御盤２７を冷却するので、制御盤２７の冷却ファンおよび冷却室が不要になり、装置全体をさらにコンパクトすることができる。
【００２４】
さらに、制御盤２７は、発電装置２４を設置する基台２３の上に門型に形成されているので、制御盤２７をコンパクトに容易に製作することができるとともに、コンパクトなマグネット装置２５の作業機への取付けは基台２３を載置すればよいので、作業機の改造も少なくすることができる。
【符号の説明】
【００２５】
３：マグネット
６：油圧モータ
７：バルブブロック
２３：基台
２４：発電装置
２５：マグネット装置
２６：発電機
２６ａ：冷却ファン
２６ｂ：冷却フィン
２７：制御盤
２７ａ、２７ｂ、２７ｃ：冷却フィン
【図１】
2014031224.tif 000003
【図２】
2014031224.tif 000004
【図３】
2014031224.tif 000005
【図４】
2014031224.tif 000006
【図５】
2014031224.tif 000007